(57)【要約】【課題】釣り糸放出側でのキャップ部材への糸絡みを可及的に防止する。【解決手段】レベルワインド機構４０は、螺軸４２と、釣り糸案内部４３と、ガイド機構４４と、糸絡み防止部４５を備えている。釣り糸案内部は先端が螺旋状溝に係合する係合部材５５、スプールから放出される釣り糸を挿通可能な釣り糸挿通部５６及び内部に係合部材を収納する部材収納部５７を有する本体部材５４、並びに部材収納部の一部を外方から覆うように本体部材にねじ込み固定される有底筒状のキャップ部材５８を含んでいる。糸絡み防止部４５は、釣り糸放出側でキャップ部材の底部に釣り糸の直径より狭い間隔で近接して第１方向に沿って配置されたものである。キャップ部材の底部には、キャップ部材を回すために他の部分より凹んだ工具係止部５８ａが形成され、工具係止部の第１方向の両端には他の部分と面一の壁部５８ｂが形成されている。【選択図】      図４
2004180528.tif 000002
【特許請求の範囲】
【請求項１】
リール本体に回転自在に装着されたスプールの少なくとも糸巻取方向の回転に連動して前記スプールが装着されたスプール軸と平行な第１方向に釣り糸を往復移動させる両軸受リールのレベルワインド機構であって、
外周面に交差する螺旋状溝が形成され、前記第１方向に沿って配置され前記リール本体に回転自在に装着され、前記スプールの少なくとも糸巻取方向の回転に連動して回転する螺軸と、
前記螺軸の径方向に沿って配置され先端が前記螺旋状溝に係合する係合部材、前記スプールから放出される釣り糸を挿通可能な釣り糸挿通部及び一部が前記径方向外方に突出し内部に前記係合部材を収納する部材収納部を有する本体部材、並びに前記部材収納部の一部を外方から覆うように前記本体部材にねじ込み固定される有底筒状のキャップ部材を含む釣り糸案内部と、
前記釣り糸案内部を前記第１方向に沿って案内する案内手段と、
前記釣り糸放出側で前記キャップ部材の底部に前記釣り糸の直径より狭い間隔で近接して前記第１方向に沿って配置された糸絡み防止手段とを備え、
前記キャップ部材の底部には、前記キャップ部材を回すために他の部分より凹んだ工具係止部が形成され、前記工具係止部の前記第１方向の両端には前記他の部分と面一の壁部が形成されている、両軸受リールのレベルワインド機構。
【請求項２】
前記工具係止部は、前記底部に前記第１方向と交差する方向に両端にわたって形成された直線状の凹溝である、請求項１に記載の両軸受リールのレベルワインド機構。
【請求項３】
前記糸絡み防止手段は、前記第１方向に沿って前記リール本体に着脱自在に装着された棒状部材である、請求項１又は２に記載の両軸受リールのレベルワインド機構。
【請求項４】
前記糸絡み防止手段は、前記第１方向に沿ってリール本体に一体形成された板状のリブである、請求項１又は２に記載の両軸受リールのレベルワインド機構。
【請求項５】
前記釣り糸案内部には、前記螺軸が貫通する螺軸挿通孔と、前記螺軸貫通孔と前記釣り糸挿通部との間に前記螺軸貫通孔と並行に配置された断面が円形の第１ガイド孔と、前記螺軸貫通孔を挟んで前記部材収納部と対向して配置され断面がＣ字状の第２ガイド孔とが形成され、
前記案内手段は、
前記第１ガイド孔を貫通して前記リール本体に両端が固定された第１ガイド部材と、
前記第２ガイド孔を貫通して前記釣り挿通部側で前記螺軸を覆うように配置され両端が前記リール本体に固定された断面がＣ字状の第１ガイド部材とを有する、請求項１から４のいずれかに記載の両軸受リールのレベルワインド機構。
【請求項６】
前記釣り糸放出側と逆側で前記キャップ部材の外周面に近接可能に前記第１方向に沿って配置され前記釣り糸案内部の前記螺軸回りの回動を防止する補強部材をさらに備える、請求項１から５のいずれかに記載の両軸受リールのレベルワインド機構。
【発明の詳細な説明】
【０００１】
【発明の属する技術分野】
本発明は、レベルワインド機構、特に、リール本体に回転自在に装着されたスプールの少なくとも糸巻取方向の回転に連動してスプールが装着されたスプール軸と平行な第１方向に釣り糸を往復移動させる両軸受リールのレベルワインド機構に関する。
【０００２】
【従来の技術】
一般に、両軸受リールにおけるレベルワインド機構は、スプールに釣り糸を均一に巻き付けるために設けられた機構である。従来のレベルワインド機構は、スプール軸と平行に配置された螺軸と、螺軸に係合して螺軸方向に往復移動する釣り糸案内部と、釣り糸案内部を螺軸に沿って案内する案内機構とを有している（特許文献１参照）。
【０００３】
螺軸は少なくともスプールの糸巻取方向の回転に連動して回転する。螺軸の外周面には交差する螺旋状溝が形成されている。釣り糸案内部は、螺軸の径方向に沿って配置され先端が螺旋状溝に係合する係合部材と、係合部材を収納する本体部材と、キャップ部材とを有している。本体部材は、スプールから放出される釣り糸を挿通可能な釣り糸挿通部と、径方向外方に突出し内部に係合部材を収納する部材収納部を有している。係合部材は部材収納部に径方向の軸回りに回動自在に装着されている。キャップ部材は、部材収納部の一部を外方から覆うように本体部材にねじ込み固定される有底筒状の部材ある。キャップ部材は、本体部材にねじ込まれて係合部材を部材装着部に装着するために設けられている。キャップ部材の底面には、ドライバーなどの工具によりキャップ部材を回すための工具係止溝が底面の両端にわたって形成されている。案内機構は、スプール軸と平行に配置されたガイド軸を有している。
【０００４】
この種のレベルワインド機構では、たとえばハンドルの回転又はスプールの回転により螺軸を回転させることにより、螺旋状溝に係合する係合部材の作用により案内機構に案内された釣り糸案内部が螺軸方向に往復移動する。これにより、釣り糸挿通部を挿通した釣り糸がスプールに均一に巻き付けられる。
【０００５】
【特許文献１】
特開２０００−０２３６００号公報（図３参照）
【０００６】
【発明が解決しようとする課題】
前記従来の構成では、たとえば完全ふかせ釣りのように釣り糸にあまり張力を作用させない釣りを行う場合、釣り糸挿通部の糸放出側で張力がなくなると、釣り糸が部材装着部にねじ込まれたキャップ部材に絡みつくおそれがある。このような糸絡みは腰が弱いより糸を使用したいわゆるＰＥラインと呼ばれる釣り糸の場合に特に生じやすい。また、フロロカーボン製の釣り糸のように腰が強い釣り糸でも思わぬ形で釣り糸が曲がってキャップ部材に巻き付くことがある。
【０００７】
すなわち、部材装着部は径方向外方に突出しているため、部材装着部を覆うキャップ部材も径方向外方に突出することになる。このような突出部分に釣り糸が回り込むと釣り糸が絡みやすくなる。しかも、キャップ部材はねじ込まれているため、部材収納部との間に段差が生じやすい。このため、段差部分に釣り糸が回り込むと段差に引っ掛かった釣り糸がより外れにくくなる。
【０００８】
本発明の課題は、両軸受リールのレベルワインド機構において、釣り糸放出側でのキャップ部材への糸絡みを可及的に防止することにある。
【０００９】
【課題を解決するための手段】
発明１に係る両軸受リールのレベルワインド機構は、リール本体に回転自在に装着されたスプールの少なくとも糸巻取方向の回転に連動してスプールが装着されたスプール軸と平行な第１方向に釣り糸を往復移動させる機構であって、螺軸と、釣り糸案内部と、案内手段と、糸絡み防止手段とを備えている。螺軸は、外周面に交差する螺旋状溝が形成され、第１方向に沿って配置されリール本体に回転自在に装着され、スプールの少なくとも糸巻取方向の回転に連動して回転する軸である。釣り糸案内部は、螺軸の径方向に沿って配置され先端が螺旋状溝に係合する係合部材、スプールから放出される釣り糸を挿通可能な釣り糸挿通部及び一部が径方向外方に突出し内部に係合部材を収納する部材収納部を有する本体部材、並びに部材収納部の一部を外方から覆うように本体部材にねじ込み固定される有底筒状のキャップ部材を含んでいる。案内手段は、釣り糸案内部を第１方向に沿って案内するものである。糸絡み防止手段は、釣り糸放出側でキャップ部材の底部に釣り糸の直径より狭い間隔で近接して第１方向に沿って配置されたものである。キャップ部材の底部には、キャップ部材を回すために他の部分より凹んだ工具係止部が形成され、工具係止部の第１方向の両端には他の部分と面一の壁部が形成されている。
【００１０】
この両軸受リールのレベルワインド機構では、スプールから放出される釣り糸は釣り糸挿通部を通ってリール外部に導かれる。釣り糸に張力があまり作用しない釣りをおこなって、糸ふけが生じ釣り糸がたるむことがある。ここでは、釣り糸がたるんでキャップ部材の近傍に近づこうとしても、糸絡み防止手段がキャップ部材の底部に釣り糸の直径より狭い間隔で近接して第１方向に沿って配置されているので、釣り糸案内部が第１方向のどの位置に移動しても、たるんだ釣り糸はキャップ部材に近づきにくくなる。また、キャップ部材の工具係止部の第１方向の両端部には他の部分の面一の壁部が形成されているので、キャップ部材の底部に接触しても工具係止部にも引っ掛かりにくくなる。このため、釣り糸放出側でのキャップ部材への糸絡みを可及的に防止できる。
【００１１】
発明２に係る両軸受リールのレベルワインド機構は、発明１に記載の機構において、工具係止部は、底部に前記第１方向と交差する方向に両端にわたって形成された直線状の凹溝である。この場合には、工具係止部を直線的な凹溝で構成しても凹溝が第１方向と交差するため、第１方向の両端には壁部が形成されることになる。このため、マイナスドライバーなどを使用して回しやすくかつ形状も容易で安価な工具係止部を形成しても糸絡みが生じにくくなる。
【００１２】
発明３に係る両軸受リールのレベルワインド機構は、発明１又は２に記載の機構において、糸絡み防止手段は、第１方向に沿ってリール本体に着脱自在に装着された棒状部材である。この場合には、棒状部材を第１方向に沿って配置することにより簡素な構成で糸絡みを防止できる。
発明４に係る両軸受リールのレベルワインド機構は、発明１又は２に記載の機構において、糸絡み防止手段は、第１方向に沿ってリール本体に一体形成された板状のリブである。この場合には、リール本体に一体形成されたリブにより部材を追加することなく簡素な構成で糸絡みを防止できる。
【００１３】
発明５に係る両軸受リールのレベルワインド機構は、発明１から４のいずれかに記載の機構において、釣り糸案内部には、螺軸が貫通する螺軸挿通孔と、螺軸貫通孔と釣り糸挿通部との間に螺軸貫通孔と並行に配置された断面が円形の第１ガイド孔と、螺軸貫通孔を挟んで部材収納部と対向して配置され断面がＣ字状の第２ガイド孔とが形成され、案内手段は、第１ガイド孔を貫通してリール本体に両端が固定された第１ガイド部材と、第２ガイド孔を貫通して釣り挿通部側で螺軸を覆うように配置され両端がリール本体に固定された断面がＣ字状の第１ガイド部材とを有する。この場合には、断面がＣ字状の第２ガイド部材により螺軸の釣り糸挿通側を覆うようにしているので、釣り糸案内部をスムーズに案内できると共に螺軸に釣り糸が絡みにくい。
【００１４】
発明６に係る両軸受リールのレベルワインド機構は、発明１から５のいずれかに記載の機構において、釣り糸放出側と逆側でキャップ部材の外周面に近接可能に第１方向に沿って配置され釣り糸案内部の前記螺軸回りの回動を防止する補強部材をさらに備える。この場合には、釣り糸案内部が螺軸回りに回動しにくくなるので、糸絡み防止手段を釣り糸案内部に近接して配置しても釣り糸案内部が糸絡み防止手段に接触しにくくなる。
【００１５】
【発明の実施の形態】
図１において、本発明の一実施形態を採用した両軸受リールは、リール本体１と、リール本体１の上部に装着されたカウンター部４と、リール本体１の側部に配置されたハンドル部２と、リール本体１の内部に装着されたスプール１０とを備えている。
【００１６】
リール本体１は、左右１対の第１側板７ａ及び第２側板７ｂ及び両側板７ａ，７ｂを互いに連結する図示しない複数の連結部によって構成されたフレーム７と、フレーム７の左右をそれぞれ覆う左右の第１側カバー８ａ及び第２側カバー８ｂとを有している。第２側板７ｂには、クラッチオンにするためのクラッチオンレバー１４とクラッチオフするためのクラッチオフレバー１５が取り付けられており、このクラッチオンレバー１４及びクラッチオフレバー１５を揺動させると、ハンドル部２からスプール１０への回転力を伝達・遮断することができる。リール本体１の下部には、前後方向に延びる竿取付脚部９が設けられている。この竿取付脚部９には釣竿装着面９ａが形成され、釣竿装着面９ａに釣竿が装着される。
【００１７】
リール本体の前部には、図２及び図４に示すように、後述するレベルワインド機構４０をガードするレベルワインドカバー５１が装着されている。レベルワインドカバー５１には、後述するスプール軸１１と平行な第１方向に長い開口５１ａが形成されており、そこから釣り糸が釣り竿に設けられたガイドに導出される。
【００１８】
カウンター部４は、図１および図２に示すように、リール本体１の前部上面に取り付けられている。カウンター部４には、仕掛けの水深や棚位置を水面からと底からとの２つの基準で表示する表示面５ａを有する表示部５と、表示部５の側部に並べて配置されたスイッチ操作部６とが設けられている。表示面５ａは、７セグメントで表示する方式の液晶となっている。このカウンター部４は、図３に示すように、前方側が上方になるように傾斜している。このとき、釣竿装着面９ａと表示面５ａとのなす角度である傾斜角度αは、５度以上２０度未満の範囲になるように設定される。
【００１９】
ハンドル部２は、図１および図２に示すように、リール本体１の右側方に配置され、釣竿の中心軸にくい違う軸回りに回転自在になっている。
スプール１０は、図２及び図４に示すように、両側板７ａ，７ｂ間に配置されており、ハンドル部２の回転軸と平行に配置されたスプール軸１１に固定されている。スプール軸１１は、リール本体１に回転自在に装着され、ハンドル部２の回転がクラッチ機構（図示せず）を介してスプール１０に伝達される。このスプール１０の外周に釣り糸を均一に巻き取るために、レベルワインド機構４０がリール本体１の内部に設けられている。
【００２０】
レベルワインド機構４０は、スプールの回転に連動してスプール軸１１と平行な第１方向に釣り糸を往復移動させるものである。レベルワインド機構４０は、図４及び図５に示すように、第１方向（図４紙面直交方向、図５上下方向）に沿って配置された螺軸４２と、釣り糸が挿通される釣り糸案内部４３と、釣り糸案内部４３を第１方向に案内するガイド機構４４と、糸絡み防止部４５と、補強部材４６とを備えている。
【００２１】
螺軸４２は、リール本体１の両側板７ａ，７ｂに回転自在に装着されている。螺軸４２の外周面には、交差する螺旋状溝４２ａが形成されている。螺軸４２は、図示しない連動機構によりスプール軸１１と連結されており、スプール１０の糸繰り出し方向と糸巻取方向の両方向の回転に連動して回転する。
釣り糸案内部４３は、螺軸４２の径方向に沿って配置され先端が螺旋状溝４２ａに係合する係合部材５５と、係合部材５５を収納する本体部材５４と、本体部材５４に装着されたキャップ部材５８とを有している。
【００２２】
係合部材５５は、おおむね円柱状の部材であり、先端に螺旋状溝４２ａに係合するように先端が円弧状に凹んだ板状の係合突起５５ａを有している。係合部材５５は、本体部材５４に径方向に沿う軸回りに回動自在に装着されている。
本体部材５４は、スプール１０から放出される釣り糸を挿通可能な釣り糸挿通部５６と、一部が螺軸４２の径方向外方に突出し内部に係合部材５５を収納する筒状の部材収納部５７とを有している。釣り糸挿通部５６には、釣り糸を案内する長円形の開口を有する、たとえばセラミック製のガイドリング５６ａが装着されている。部材収納部５７は、円柱状の収納空間５７ａを有しており、そこに係合部材５５が所定の範囲で回動自在に装着されている。部材収納部５７の突出部分の外周面には、キャップ部材５８がねじ込まれる雄ねじ部５７ｂが形成されている。
【００２３】
本体部材５４には、螺軸４２が貫通する断面円形の螺軸貫通孔５４ａと、ガイド機構４４の後述するガイド筒６１が貫通するガイド筒貫通孔５４ｂと、後述するガイド軸６２が貫通する断面円形のガイド軸貫通孔５４ｃとが形成されている。ガイド筒貫通孔５４ｂは、部材収納部５７と螺軸４２を挟んで対向する側を中心に螺軸４２を囲むように断面Ｃ字状に形成されている。ガイド軸貫通孔５４ｃは、釣り糸挿通部５６とガイド筒貫通孔５４ｂとの間に形成されている。
【００２４】
キャップ部材５８は、部材収納部５７の突出部分を外方から覆うように本体部材５４の雄ねじ部５７ｂにねじ込み固定される有底筒状の部材である。キャップ部材５８の底部外面には、図５に示すように、キャップ部材５８を回すために他の部分より凹んだ工具係止部５８ａが形成されている。工具係止部５８ａは、第１方向と交差する方向に両端にわたって形成された直線状の凹溝で構成されている。したがって、工具係止部の第１方向の両端には他の部分と面一の壁部５８ｂが形成されている。
【００２５】
ガイド機構４４は、図４に示すように、第１側板７ａおよび第２側板７ｂの間に両端が固定されたガイド筒６１と、ガイド筒６１の上方で第１側板７ａおよび第２側板７ｂの間に両端が固定されたガイド軸６２とを有している。ガイド筒６１は、釣り糸挿通部５６側で螺軸４２を覆うように形成されたＣ字状断面の部材である。これにより、螺軸４２に釣り糸が絡むのを防止できる。ガイド筒６１は、ガイド筒貫通孔５４ｂを、ガイド軸６２は、ガイド軸貫通孔５４ｃでそれぞれ本体部材５４を貫通して、釣り糸案内部４３を第１方向に案内する。
【００２６】
糸絡み防止部４５は、キャップ部材５８に釣り糸が絡みつくのを防止するためのものである。糸絡み防止部４５は、第１側板７ａおよび第２側板７ｂの間に両端が着脱自在に固定された、たとえば金属製の棒状部材で構成されている。糸絡み防止部４５は、釣り糸放出側でキャップ部材５８の底部に釣り糸の直径より狭い間隔で近接して第１方向に沿って配置されている。
【００２７】
補強部材４６は、釣り糸案内部４３の前記螺軸回りの回動を防止するための部材である。補強部材４６は、第１側板７ａおよび第２側板７ｂの間に両端が自在に固定された、たとえば金属製の棒状部材であり、釣り糸放出側と逆側でキャップ部材５８の外周面に近接可能に第１方向に沿って配置されている。
次に、この両軸受リールの動作を説明する。
【００２８】
クラッチオンレバー１４によりクラッチオンにしてハンドル部２からスプール１０への回転力の伝達可能にした状態でハンドル部２を操作すると、ハンドル部２の回転に応じて、スプール１０が回転するとともに、スプール１０の回転に連動してレベルワインド機構４０も動作し、釣り糸挿通部５６から案内される釣り糸が、スプール３の外周に前後方向に均一に巻き取られる。
【００２９】
また、クラッチオフレバー１５によりクラッチオフ状態にしてハンドル部２からスプール１０への回転力が伝達されないようにすると、スプール１０がハンドル部２とは独立に自由回転可能となり、釣り糸に取り付けられた仕掛けの重みによって釣り糸は前方に繰り出される。このときにも、スプール１０の回転に連動してレベルワインド機構４０も動作し、釣り糸がスムーズに釣り糸挿通部５６及び開口５１ａを通ってリール外部に繰り出される。
【００３０】
釣り糸を巻き取るときや繰り出すときや仕掛けを流しているときなどに、釣り糸に作用する張力が弱くなったとき、レベルワインドカバー５１の開口５１ａと釣り糸挿通部５６との間で釣り糸がたるんで入り込むことがある。このような場合にも、入り込んだ釣り糸がキャップ部材５８の近傍に近づこうとしても、糸絡み防止部４５がキャップ部材５８の底部に釣り糸の直径より狭い間隔で近接して第１方向に沿って配置されているので、釣り糸案内部４３が第１方向のどの位置に移動しても、たるんだ釣り糸はキャップ部材５８に近づきにくくなる。また、キャップ部材の工具係止部５８ａの第１方向の両端部には他の部分の面一の壁部５８ｂが形成されているので、キャップ部材５８の底部に接触しても工具係止部５８ａにも引っ掛かりにくくなる。このため、釣り糸放出側でのキャップ部材５８への糸絡みを可及的に防止できる。
【００３１】
〔他の実施形態〕
（ａ）前記実施形態では、糸絡み防止部を棒状部材で構成したが、糸絡み防止部をリール本体１と一体形成してもよい。図６及び図７において、レベルワインドカバー５１には、糸絡み防止部１４５を構成するリブが、レベルワインドカバー５１からキャップ部材５８の底部に近接して重なり合うように一体に形成されている。このリブで構成された糸絡み防止部１４５とキャップ部材５８の底部との間隔は釣り糸の直径よりも小さい。このような糸絡み防止部１４５によっても、キャップ部材５８への糸絡みを防止できる。なお、糸絡み防止部１４５の第１方向の中央部には、キャップ部材５８を着脱するための半円状の切り欠き部１５３が設けられている。
【００３２】
（ｂ）釣り糸がキャップ部材５８に絡みにくくするために、糸絡み防止部４５の表面や釣り糸係止部１４５の上側面やキャップ部材５８の表面に撥水層を形成してもよい。
（ｃ）前記実施形態では、キャップ部材５８の底部の両端にわたり形成された凹溝で工具係止部を構成したが、両端に至る手前まで凹溝で形成して第１方向の両端部に壁部を形成してもよい。また、六角穴や複数の丸孔などにより工具係止部を構成してもよい。
【００３３】
（ｄ）前記実施形態では、糸絡み防止部を、金属製の棒状部材やリール本体１と一体形成されたリブで構成したが、糸絡み防止部の形状や材質は前記実施形態で限定されない。
（ｅ）前記実施形態では、スプール１０の両方向の回転に連動して螺軸４２を回転させているが、スプール１０の糸巻き取り方向の回転にのみ連動して螺軸４２を回転させてもよい。
【００３４】
（ｆ）前記実施形態では、カウンター部を有する手巻きの両軸受リールのレベルワインド機構を例に本発明を説明したが、電動リールやカウンター部を有さない手巻きのベイトキャスティングリールなど、すべての両軸受リールのレベルワインド機構に本発明を適用できる。
【００３５】
【発明の効果】
本発明によれば、釣り糸がたるんでキャップ部材の近傍に近づこうとしても、糸絡み防止手段がキャップ部材の底部に釣り糸の直径より狭い間隔で近接可能に第１方向に沿って配置されているので、釣り糸案内部が第１方向のどの位置に移動しても、たるんだ釣り糸はキャップ部材に近づきにくくなる。また、キャップ部材の工具係止部の第１方向の両端部には他の部分の面一の壁部が形成されているので、キャップ部材の底部に接触しても工具係止部にも引っ掛かりにくくなる。このため、釣り糸放出側でのキャップ部材への糸絡みを可及的に防止できる。
【図面の簡単な説明】
【図１】本発明の一実施形態を採用した両軸受リールの斜視図。
【図２】前記両軸受リールの平面図。
【図３】前記両軸受リールの側面図。
【図４】前記両軸受リールの断面図。
【図５】図４のＶ−Ｖ断面図。
【図６】他の実施形態の図４に相当する図。
【図７】他の実施形態の図５に相当する図。
【符号の説明】
１  リール本体
１０  スプール
１１  スプール軸
４０  レベルワインド機構
４２  螺軸
４２ａ  螺旋状溝
４３  釣り糸案内部
４４  ガイド機構
４５，１４５  糸絡み防止部
４６  補強部材
５４  本体部材
５４ａ  螺軸貫通孔
５４ｂ  ガイド筒貫通孔
５４ｃ  ガイド軸貫通孔
５５  係合部材
５６  釣り糸挿通部
５７  部材収納部
５８  キャップ部材
５８ａ  工具係止部
５８ｂ  壁部
６１  ガイド筒
６２  ガイド軸
【図１】
2004180528.tif 000003
【図２】
2004180528.tif 000004
【図３】
2004180528.tif 000005
【図４】
2004180528.tif 000006
【図５】
2004180528.tif 000007
【図６】
2004180528.tif 000008
【図７】
2004180528.tif 000009